(57)【要約】  【課題】  画像形成装置の動作状態毎の消費電力量等或いは１回の印刷動作毎の消費電力量等を個別に表示出力することにより，省資源化，省エネルギー化の促進に対する利用者或いは利用者個人の意識レベルを向上させること。  【解決手段】  複数の動作状態で作動する画像形成装置の上記各動作状態毎の消費電力量を測定し，この測定された上記動作状態毎の消費電力量及び／若しくは該消費電力量に関連する関連情報（電気料金等）を上記各動作状態毎に分別して表示出力する。これにより，利用者は，自身の使用により消費された消費電力量を認識することができ，かつ，他の動作状態の消費電力量との比較を容易に行うことができるようになり，省資源化，省エネルギー化の促進に対する意識レベルを向上させることができる。【選択図】図４
2006039443.tif 000002
【特許請求の範囲】
【請求項１】
予め設定された動作状態切換条件に基づいて切り換えられる複数の異なる動作状態で作動する画像形成装置であって，
上記動作状態毎の消費電力量を測定する動作状態別消費電力量測定手段と，
上記動作状態別消費電力量測定手段による測定結果に基づいて，測定された上記動作状態毎の消費電力量及び／若しくは上記動作状態毎の消費電力量に関連する関連情報を上記動作状態毎に表示出力する分別表示出力手段と，
を具備してなることを特徴とする画像形成装置。
【請求項２】
上記動作状態が，画像形成操作が検知されてから画像形成処理の完了が検知されるまでの印刷実行状態，上記印刷実行状態において現像バイアスを調整してトナーの付着量を抑制するトナーセーブ印刷実行状態，定着装置の熱ローラを画像形成が可能な温度よりも低い予熱温度に維持する待機状態，上記画像形成装置の駆動系機器への電力供給を遮断して消費電力を削減するための省電力状態のいずれか一つ或いは複数である請求項１に記載の画像形成装置。
【請求項３】
上記分別表示出力手段が，上記印刷実行状態以外の他の動作状態から上記印刷実行状態に切り換えられた際に表示出力するものである請求項１又は２に記載の画像形成装置。
【請求項４】
上記分別表示出力手段が，上記印刷実行状態から該印刷実行状態以外の他の動作状態に切り換えられた際に表示出力するものである請求項１〜３のいずれかに記載の画像形成装置。
【請求項５】
上記分別表示出力手段が，上記印刷実行状態における１回の印刷動作に対応する消費電力量及び／若しくは上記関連情報を表示出力するものである請求項１〜４のいずれかに記載の画像形成装置。
【請求項６】
上記分別表示出力手段が，上記印刷実行状態における１回の印刷動作に対応する消費電力量及び／若しくは上記関連情報を強調処理して表示出力するものである請求項５に記載の画像形成装置。
【請求項７】
上記動作状態別消費電力量測定手段により測定された上記動作状態毎の消費電力量及び／若しくは上記動作状態毎の消費電力量に関連する関連情報を蓄積記憶する電力量記憶手段を更に備えてなる請求項１〜６のいずれかに記載の画像形成装置。
【請求項８】
上記動作状態別消費電力量測定手段による測定結果に基づいて，上記動作状態毎の電気料金を算出する動作状態別電気料金算出手段を更に備え，
上記関連情報が，上記動作状態別電気料金算出手段により算出された上記動作状態毎の電気料金である請求項１〜７のいずれかに記載の画像形成装置。
【発明の詳細な説明】
【技術分野】
【０００１】
本発明は，画像形成装置において消費された消費電力量を表示出力する技術に関し，特に，省電力モード，待機モード等の複数の異なる動作状態で作動する画像形成装置において消費される消費電力量を表示出力する技術に関するものである。
【背景技術】
【０００２】
複写機，ファクシミリ，プリンタ等の画像形成装置の動作状態としては，原稿の画像データの入力或いは外部接続されたパソコン等からの印字データの入力を待ち受けるいわゆる待機状態（待機モード），消費電力を削減するための省電力状態（省電力モード），印刷動作を行う印刷実行状態（印字モード）等がある。
これらの画像形成装置の動作状態は，装置内部に設けられ画像形成装置を統括制御する制御部により切換制御される。例えば，画像形成装置の起動時は上記待機状態に保持制御され，一定時間以上原稿画像データ或いは印字データの入力がないまま上記待機状態が保持された場合は上記省電力状態に移行される。そして，利用者によりコピー操作（原稿カバーの開閉操作やコピースタートの押圧操作等）等がなされてからコピーが終了するまでの間は上記印刷実行状態に制御される。なお，このような切換制御を行う機能は一般にモード切換機能と呼ばれている。
【０００３】
ところで，従来，特許文献１に示されるように，画像形成装置において実際に消費される消費電力量を利用者に通知して，省資源，省エネルギー等を意識的に促進させることを目的として，上記各動作状態毎の個々の消費電力量を計算し，この個々の消費電力量を総計した結果を装置全体において実際に消費された消費電力量として表示出力する技術が提案されている。
【特許文献１】特開２００２−３０４０９２号公報
【発明の開示】
【発明が解決しようとする課題】
【０００４】
しかしながら，上記従来の画像形成装置は，当該画像形成装置の動作状態にかかわらず，装置において消費された消費電力量を表示するものである。従って，このように表示された消費電力量を把握することで，上記画像形成装置の管理者自身の省エネルギーに対する意識レベルは向上されると思われる。一方，複写機等の大型の装置はもちろんのこと，ファクシミリやプリンタ等においても複数の利用者間で共有して使用する場合があるが，このような場合は，上記管理者だけでなく，利用者の意識レベルをも向上させることが必要である。しかしながら，上記従来の画像形成装置において表示出力される消費電力量は，利用者の使用により消費される消費電力量に加えて，利用者が使用していないときに勝手に消費される電力量（即ち待機状態或いは省電力状態を維持するための消費電力量）が合算されたものであるため，利用者は，表示された消費電力量を自身の使用による消費電力量であると認識し難い。そのため，利用者の省エネルギーに対する意識レベルを高めることは困難となり，上記従来の画像形成装置では，省資源化，省エネルギー化の促進に大きな効果を期待することができないという問題がある。
また，上述したように，従来の画像形成装置に表示出力される消費電力量は複数の利用者の使用による消費電力量が蓄積されたものである。言い換えれば，個々の印刷動作毎の消費電力量が表示出力されるものではない。従って，利用者個人の使用により消費された消費電力量を利用者個人が把握することができない。そのため，実際に利用する者の個人の意識レベルが向上されず，省資源化，省エネルギー化の促進を図ることができないという問題がある。
従って，本発明は上記事情に鑑みてなされたものであり，その目的とするところは，動作状態毎の消費電力量等或いは１回の印刷動作毎の消費電力量等を個別に表示出力することにより，省資源化，省エネルギー化の促進に対する利用者或いは利用者個人の意識レベルを向上させることのできる画像形成装置を提供することにある。
【課題を解決するための手段】
【０００５】
上記目的を達成するために本発明は，複数の動作状態で作動する画像形成装置の上記各動作状態毎の消費電力量を測定し，この測定された上記動作状態毎の消費電力量及び／若しくは該消費電力量に関連する関連情報を上記各動作状態毎に分別して表示出力するよう構成されている。
このように構成されることにより，利用者は，自身の使用により消費された消費電力量を認識することができ，かつ，他の動作状態の消費電力量との比較が容易となるため，省資源化，省エネルギー化に対する利用者の意識レベルを向上させることが可能となる。その結果，省資源化，省エネルギー化の促進が達成され得る。
なお，上記動作状態の具体例としては，例えば，コピースタート釦の押圧操作等の画像形成操作が検知されてから画像形成処理の完了が検知されるまでの印刷実行状態，上記印刷実行状態において現像バイアスを調整してトナーの付着量を抑制するトナーセーブ印刷実行状態，記録紙上にトナー像を定着させる定着装置の熱ローラを画像形成が可能な温度よりも低い予熱温度に維持する待機状態，上記画像形成装置の駆動系機器への電力供給を遮断して消費電力を削減するための省電力状態のいずれか一つ或いは複数であることが考えられる。また，上記関連情報の具体例としては，例えば，上記動作状態毎の消費電力量に相当する電気料金，上記印刷実行状態や上記トナーセーブ印刷実行状態毎の印刷部数等が考えられる。
【０００６】
ここで，上記動作状態毎の消費電力量の表示態様としては，該消費電力量を常時表示させるものが考えられるが，上記印刷実行状態以外の他の動作状態から上記印刷実行状態に切り換えられた際，即ち，利用者が画像形成装置を使用する際に上記消費電力量を表示出力させるものであれば，利用者の注意が喚起されるためより好ましい。
また，上記印刷実行状態から他の動作状態に切り換えられた際，即ち，利用者が画像形成装置の使用を終了する際に上記動作状態毎の消費電力量を表示出力するものであってもよい。このような場合でも，利用者が画像形成装置を離れる際に表示内容が変化するため，利用者の注意を引くことできる。これにより，消費電力量を認識させることで，省資源化，省エネルギー化に対する意識レベルを高めることが可能となる。
【０００７】
更にまた，蓄積された消費電力量を表示出力するのではなく，上記印刷実行状態における１回の印刷動作に対応する消費電力量及び／若しくは上記関連情報を表示出力することが望ましい。これにより，上記印刷実行状態における印刷動作毎の消費電力量及び／若しくは上記関連情報が表示出力されることになる。従って，例えば，画像形成装置が複数の利用者により共有利用されている場合であっても，利用者個人によって１回のコピー印刷が行われる度に，そのコピー印刷において消費された電力量が表示されるため，利用者個人の省資源化，省エネルギー化に対する意識レベルを向上させることができる。
この場合，上記印刷実行状態における１回の印刷動作に対応する消費電力量及び／若しくは上記関連情報を強調処理して表示出力するものであることが望ましい。この強調処理としては，例えば，表示色の変更，拡大表示，ポップアップ表示，立体表示，或いはこれらと表示音の組み合わせ等のさまざまな処理が考えられる。このような強調処理がなされた情報を表示出力することにより利用者の注意を引くことができ，利用者の使用による消費電力を強く認識させることができる。
【０００８】
また，測定された上記動作状態毎の消費電力量や上記関連情報をＨＤＤ（ハードディスク）や半導体メモリ等の所定の記憶媒体に蓄積記憶させておくことで，電力の供給が遮断された場合でも，消費電力量に関する蓄積データを参照することが可能となる。
また，測定された上記動作状態毎の消費電力量に基づいて，上記動作状態毎の電気料金を算出し，この算出された電気料金を前記した関連情報として上記動作状態毎の消費電力量と共に表示出力することも考えられる。これにより，消費電力量だけでなく金銭的観点からも省資源化，省エネルギー化に対する利用者の意識レベルを向上させることができる。もちろん上記電気料金を表示させることで，電気料金の浪費の低減を促進することも可能である。
【発明の効果】
【０００９】
以上説明したように，本発明は，複数の動作状態で作動する画像形成装置の上記各動作状態毎の消費電力量を測定し，この測定された上記動作状態毎の消費電力量及び／若しくは該消費電力量に関連する関連情報を上記各動作状態毎に分別して表示出力するよう構成されているため，利用者は，自身の使用により消費された消費電力量を容易に認識することができ，かつ，他の動作状態の消費電力量との比較が容易となるため，省資源化，省エネルギー化に対する利用者の意識レベルを向上させることが可能となる。その結果，実効性ある省資源化，省エネルギー化の促進が達成され得る。
また，本発明は，上記印刷実行状態における１回の印刷動作に対応する消費電力量及び／若しくは上記関連情報を表示出力するよう構成されているため，利用者個人によって１回のコピー印刷が行われる度に，即ち，コピー印刷毎に，そのコピー印刷において消費された消費電力量が表示される。これにより，複数の利用者で画像形成装置を共有する場合でも，利用者個人の省資源化，省エネルギー化に対する意識レベルを向上させることができる。
【発明を実施するための最良の形態】
【００１０】
以下添付図面を参照しながら，本発明の一実施形態及び実施例について説明し，本発明の理解に供する。尚，以下に説明する実施形態及び実施例は，本発明を具体化した一例であって，本発明の技術的範囲を限定する性格のものではない。
ここに，図１は本発明の実施の形態に係るデジタル複合機Ｘの概略構成を示す全体模式図，図２は上記デジタル複合機Ｘの操作表示パネル３０の概略構成を示すパネル模式図，図３は上記デジタル複合機Ｘの制御部１５の概略構成を示すブロック図，図４は上記デジタル複合機Ｘの制御部１５のＣＰＵ１５１により実行される電力量表示処理の概略手順の一例を説明するフローチャート，図５は上記デジタル複合機Ｘの制御部１５のＣＰＵ１５１により実行される電力量表示処理の詳細手順の一例を説明するフローチャート，図６は上記デジタル複合機Ｘの操作表示パネルに表示される情報の一例を示すテーブル図，図７はデータメモリ１５３の記憶領域を説明する図である。
まず，図１〜図３を用いて，本発明の一実施形態に係るデジタル複合機Ｘ（以下，「複合機Ｘ」と略す）の概略構成について説明する。図１の（ａ）は複合機Ｘの側面模式図，（ｂ）は（ａ）の矢視Ａ−Ａの正面図である。なお，本発明の実施形態に係る複合機Ｘは，複写機能（コピー機能），ファクシミリ機能，ＬＡＮ等のネットワークを介して接続されたパーソナルコンピュータ等の端末装置から入力されたジョブデータに応じた印刷出力を行うプリンタ機能等を備えたものとして説明するが，上記複合機Ｘは本発明の実施形態に係る画像処理装置の単なる一例に過ぎない。従って，本発明は，複写機，ファクシミリ装置，プリンタ装置等にも適用することが可能である。
図１に示すように，上記複合機Ｘは，大別すると，原稿画像を読み取る画像読取装置２０と，この画像読取装置２０の上方に配置された自動原稿送り装置１０（以下，「ＡＤＦ１０」と称す。）と，上記画像読取装置２０の正面側側面に配設された操作表示パネル３０と，上記画像読取装置２０の下部に配置された画像形成装置１６と，更に該画像形成装置１６の下部に配置された給紙カセット１７とを備えて構成されている。
更に，図３に示すように，外部電力源からの交流電力（例えばＡＣ１００Ｖ）を直流電力（例えばＤＣ２４Ｖ）に変換するＡＣ／ＤＣ変換器４１と，上記複合機Ｘに供給される電力量（Ｗｈ），即ち，上記複合機Ｘで消費される電力量を測定する積算電力量計４２と，本複合機Ｘを統括的に制御する制御部１５とを備えて構成されている。なお，本実施形態では，上記積算電力量計４２として，所定時間（例えば１ｍｓ）毎に供給される電力（所定時間における平均電力）を測定し，上記所定時間毎の電力量を連続的に算出して上記積算電力量計４２の内部に設けられた内部メモリに蓄積記憶し或いは外部に順次出力するものを例示して説明するが，特にこのような積算電力量計に限られることはない。
【００１１】
上記ＡＤＦ１０は，原稿セット部１１にセットされた原稿Ｓを複数の搬送ローラＲを介して１枚ずつ順次搬送するものである。上記ＡＤＦ１０によって搬送された原稿Ｓはコンタクトガラス２６上の所定の読取位置を通って副走査方向に搬送され，その後，原稿排出部１３へ搬出される。なお，上記ＡＤＦ１０は上記コンタクトガラス２６を覆う原稿カバーを兼用するものであるため，上記ＡＤＦ１０の上記コンタクトガラス２６を覆う面１４は，原稿から安定した反射光を得るために，主走査方向の読み取り幅全域にわたって白色とされている。
【００１２】
上記画像読取装置２０の上面には上記コンタクトガラス２６が配置されている。また，上記画像読取装置２０の内部には，上記コンタクトガラス２６上の所定の読取位置を副走査方向に移動する原稿Ｓに光を照射する露光装置２１と，上記原稿Ｓからの反射光をコンタクトガラス２６を介して受光するミラー等からなるキャリッジ２２と，このキャリッジ２２により受光された反射光を光学レンズ２４に導光する導光ミラー２３ａ，２３ｂと，上記導光ミラー２３ａ，２３ｂを介して導かれた反射光を集光する光学レンズ２４と，上記光学レンズ２４により集光された反射光に含まれる画像情報を電気信号に変換するＣＣＤ２５とが適宜配設されている。なお，上記ＣＣＤ２５により変換された電気信号に基づいて認識された画像データは前記制御部１５によって所定の画像処理が実行された後にレーザー光として後述する感光体ドラム１６１に照射される。
【００１３】
上記画像形成装置１６は，レーザー光が照射されることにより生成された静電潜像を担持する感光体ドラム１６１，上記感光体ドラム１６１を一様に帯電させる帯電装置１６２，上記感光体ドラム１６１上の静電潜像にトナーを付着させて現像する現像装置１６３，現像されたトナー画像を上記給紙カセット１７から搬送された記録紙に転写する転写装置１６４，感光体ドラム１６１上に残存するトナーを除去するクリーニング装置１６５，トナー画像が転写された記録紙に画像を定着させる定着装置１６６等の周知の画像形成機器により構成されている。
【００１４】
上記画像読取装置２０の正面側側面には，上記複合機Ｘにおける印刷設定の入力或いは該印刷設定情報等を表示するための前記操作表示パネル３０が設けられている。この操作表示パネル３０は，図２に示すように，タッチキー入力可能なタッチパネルで構成された液晶ディスプレイ等の液晶表示部３２と，テンキー３１１，原稿の読取の開始を指示してコピーを開始させるためのコピースタート押釦３１２，予め入力された印刷設定等の設定情報をクリアしたり，コピー出力動作の中断或いは中止をするためのストップ／クリア押釦３１３，上記液晶表示部３２に表示される消費電力量に関する情報の表示内容を切り換える表示内容切換押釦３１４，上記複合機Ｘの動作状態（動作モード）を後記する省電力モードに移行させる省電力モード切換押釦３１５等を有する操作部３１とを備えて構成されている。
上記液晶表示部３２には上記複合機Ｘにおける印刷設定や印刷状態等の情報のほかに，上記複合機Ｘの動作状態毎の消費電力量及び該消費電力量に相当する電気料金（上記複合機Ｘの動作状態毎の消費電力量に関連する関連情報の一例）の情報が図６に示すテーブルデータ６０のような表示態様で表示される。なお，このような消費電力量等の情報の表示は前記制御部１５により後述する電力量表示処理（図４及び図５のフローチャートに従った処理）が実行されることによって実現される。
ここで，上記動作状態としては，例えば，定着装置１６６の図示しない熱ローラを画像形成が可能な温度よりも低い予熱温度に維持して原稿の画像データの入力或いは外部接続されたパソコン等からの印字データの入力を待ち受ける待機モード（待機状態に相当），上記制御部１５以外の駆動系機器への電力供給を遮断して消費電力を削減するための省電力モード（省電力状態に相当），原稿セット部１１への原稿の載置状態やコピースタート釦３１２等の押圧操作等のコピー操作（画像形成操作に相当）が検知されてからコピー印刷の完了が検知されるまでの印字モード（印刷実行状態に相当），この印字モードにおいて現像バイアスを調整してトナーの感光体ドラム１６１への付着量を抑制するためのトナーセーブモード（トナーセーブ印刷実行状態に相当）等が挙げられる。これらの動作状態の切り換えは複合機Ｘが備えるモード切換機能（動作状態切換機能に相当）により予め設定されたモード切換条件（動作状態切換条件に相当）に基づいて達成される。かかるモード切換機能は従来周知の機能であるためここでの説明は省略する。
【００１５】
続いて，図３のブロック図を用いて上記制御部１５の概略構成について説明する。図３に示すように，中央演算処理装置の一例であるＣＰＵ１５１と，該ＣＰＵ１５１のメインメモリ（主記憶装置）として演算作業領域に使用されるＲＡＭ１５２と，上記液晶表示部３２に表示される本複合機Ｘの動作状態毎の消費電力量や電気料金等の情報（データ）を記憶するデータメモリ１５３（電力量記憶手段の一例）と，上記複写機Ｘに用いられる制御プログラムを格納するプログラムＲＯＭ１５４と，指定された時間内におけるデータ量や数値の変化量をカウントする差分カウンタ１５５と，操作表示パネル３０や積算電力量計４２等と接続してデータや制御信号等の通信，送受信を可能とするインターフェース（Ｉ／Ｆ）１５６とが内部バス１５７によって相互に接続されて構成されている。
上記データメモリ１５３はＥＥＰＲＯＭ等の書き換え可能な不揮発性半導体メモリからなり，そのメモリ領域は，図７に示すように，一日単位の消費電力量を蓄積記憶する記憶領域１５３Ｄと，一週間単位の消費電力量を蓄積記憶する記憶領域１５３Ｗと，一月単位の消費電力量を蓄積記憶する記憶領域１５３Ｍとに分けられている。更に，これらの記憶領域１５３Ｄ，１５３Ｗ，１５３Ｍ夫々は，上記動作状態（待機モード，省電力モード，印字モード，トナーセーブモード）毎に消費電力量や電気料金等の情報（データ）を記憶する領域に分級されている。
上記ＣＰＵ１５１は，上記プログラムＲＯＭ１５４に格納された制御プログラムを読み出し，この読み出された制御プログラムに従って所定の演算処理を実行するものである。このＣＰＵ１５１により上記演算処理の一つである電力量表示処理（後述する）が実行されることにより上記Ｉ／Ｆ１５６を介して接続された上記操作表示パネル３０の液晶表示部３２に上記複合機Ｘの動作状態毎の消費電力量や電気料金等の情報が表示出力される。なお，上記制御部１５は，上述の如く構成されたものに限られず，例えば上記制御部３０の各構成要素が集積化されたＤＳＰ（Digital Signal Processor）等であってもかまわない。
【００１６】
次に，図４及び図５のフローチャートを用いて本複合機Ｘの制御部１５のＣＰＵ１５１により所定の制御プログラムに従って実行される電力量表示処理の一例について説明する。まず最初に，図４のフローチャートを用いて上記電力量表示処理の概略手順について説明する。なお，この実施形態では上記電力量表示処理により一日単位毎の消費電力量及び電気料金が液晶表示部３２に表示されるよう初期設定された例について説明する。ここに，図中のＳ１０，Ｓ２０，…は処理手順（ステップ）番号を示す。処理はステップＳ１０より開始される。
本複合機Ｘの図示しない主電源スイッチが切り換えられ，該複合機Ｘに電力が供給されると，ステップＳ１０〜Ｓ６０の手順に従うことにより上記複合機Ｘの動作状態毎の消費電力量を測定する処理が実行される。
まず，ステップＳ１０では，上記積算電力量計４２（図３）によって上記複合機Ｘに供給される電力量の測定が開始される。上記積算電力量計４２は，前記したように，例えば１ｍｓ毎に供給される電力を測定して１ｍｓ毎の電力量を連続的に算出して当該積算電力量計４２の内部に設けられた図示しない内部メモリに算出された電力量を蓄積記憶すると共に算出された１ｍｓ毎の電力量を外部の制御部１５に順次出力するものである。
続いてステップＳ２０では，上記ＣＰＵ１５１によって，上記複合機Ｘの動作状態を判定するモード判定処理が実行される。上記複合機Ｘが起動された後であって，利用者によるコピー操作等がなされないときの上記複合機Ｘの動作状態は前記した待機モードとして扱われるため，このステップＳ２０では，上記複合機Ｘの動作状態が待機モードであると判定される。かかる判定は，例えば，各モード毎に設定されたビットフラグが立っているかどうか，即ち，上記各モードのいずれのビットフラグが「１」になっているかどうかを検知することにより行われる。従って，複合機Ｘが起動された直後の現時点では上記待機モードのビットフラグが立っていることになる。
【００１７】
その後，ステップＳ３０では，日付が変更されたかどうかが判断される。この判断は，上記ＣＰＵ１５１によって，上記複合機Ｘに標準装備された周知の時計機能を用いて現在の日時が確認されることにより行われる。ここで，日付が変更されたと判断されると，処理はステップＳ４０に進み，変更されていないと判断されると，処理はステップＳ５０に進む。
処理がステップＳ４０に進むと，ここでは，上記データメモリ１５３の記憶領域１５３Ｄ（図７）が初期化（リセット）されて，該記憶領域１５３Ｄ内のデータが消去される。なお，前記記憶領域１５３Ｗ，１５３Ｍ（図７）についても，週の変更或いは月の変更が判断されると記憶領域１５３Ｗ，１５３Ｍが初期化される。このような処理は，後述の表示処理により上記記憶領域１５３Ｄ，１５３Ｗ，１５３Ｍのデータを読み出して一日単位，一週単位，一月単位毎の消費電力量を表示出力するために行われる。その後，処理はステップＳ５０に進む。
【００１８】
一方，処理がステップＳ５０に進むと，ここでは，上記ＣＰＵ１５１によって，Ｉ／Ｆ１５６を介して上記積算電力量計４２から入力された電力量を順次ＲＡＭ１５２に蓄積記憶すると共にデータメモリ１５３の各記憶領域１５３Ｄ，１５３Ｗ，１５３Ｍに転送する処理が行われる。このとき上記電力量の転送先は，上記ステップＳ２０において判定された待機モードに対応する上記記憶領域１５３Ｄ内の領域（以下，待機モード記憶領域という）である。また，上記待機モード記憶領域に蓄積記憶された電力量に基づいて，該電力量に相当する電気料金がＣＰＵ１５１によって算出される（Ｓ６０）。なお，この算出処理は，予め設定された電気料金に関する課金率を電力量に乗算することにより算出される。また，上記課金率が時間（例えば昼と夜），季節（例えば夏季と冬季）によって異なる場合は夫々の時間，季節に対応する課金率により電気料金が算出される。この算出された電気料金は，上記待機モード記憶領域内の電力量に関連付けられて該待機モード記憶領域に記憶される。このようにして上記ステップＳ１０〜Ｓ６０の処理が行われることにより，複合機Ｘの動作状態毎の消費電力量及び該消費電力量に相当する電気料金が測定される。
【００１９】
続いて，ステップＳ７０では，ＣＰＵ１５１によって上記記憶領域１５３Ｄ内のデータが読み出されることにより，上記記憶領域１５３Ｄに記憶された上記複合機Ｘの動作状態毎の情報（電力量，電気料金）を液晶表示部３２（図２）に表示出力する処理（分別表示処理）が実行される。なお，この分別表示処理の詳細手順については，図５のフローチャート参照して後述する。
上記ステップＳ７０の分別表示処理がなされた後の処理はステップＳ２０に戻り，該ステップＳ２０以降の手順に従って上述した処理が繰り返し実行される。例えば，現時点の動作状態である待機モードが所定時間以上維持されたことにより，或いは利用者により前記省電力モード切換押釦３１５（図２）が押圧操作されることにより省電力モードに移行した場合は，待機モードのビットフラグが「０」となり，省電力モードのビットフラグが「１」となる。このような場合は，このビットフラグの状態に基づいてステップＳ２０において，複合機Ｘの動作状態が省電力モードであると判定される。この場合，上記ステップＳ５０では，省電力モードに対応する上記記憶領域１５３Ｄ内の記憶領域（以下，省電力モード記憶領域という）に電力量を転送する処理がなされ，ステップＳ６０では上記省電力モード記憶領域内の電力量に相当する電気料金が算出されて，上記省電力モード記憶領域に記憶される。なお，複合機Ｘの動作状態が前記した印字モード，トナーセーブモードに切り換えられた場合も上述した処理と同様の処理が行われる。
なお，図示して説明しないが，利用者によって前記表示内容切換押釦３１４（図２）が押圧操作されると，上記ＣＰＵ１５１により上記液晶表示部３２に表示されるデータの内容が一日単位の消費電力量，一週単位の消費電力量及び一月単位の消費電力量の間で順次切り換えられる。この切り換えは，例えば，上記ステップＳ７０の分別表示処理の際にＣＰＵ１５１により読み出されるデータのメモリアドレスを変更する等の周知の手法により行われる。
【００２０】
次に，図５のフローチャートを用いて上記分別表示処理の詳細手順について説明する。なお，図５（ａ），（ｂ），（ｃ）のフローチャートはそれぞれ上記分別表示処理の一実施例を示す。
まず，図５（ａ）のフローチャートを用いて上記分別表示処理の一実施例を説明する。
ステップＳ１１１において，利用者により複合機Ｘに対してキー操作がなされたかどうかが判断される。この判断はキー入力信号を受信したかどうかが上記ＣＰＵ１５１により検知されることにより行われる。ここで，キー操作がなされたと判断されると，ＣＰＵ１５１により，上記記憶領域１５３Ｄ内のデータが読み出されて，該読み出されたデータが上記液晶表示部３２に出力されて，その画面全域に図６に示すテーブルデータ６０を表示する処理（全画面表示処理）が実行される（Ｓ１１２）。上記キー操作としては，例えば，操作部３１の各種キーが操作されたこと等が挙げられる。このようなキー操作がなされた場合は利用者が複合機Ｘの近傍にいるので，上記テーブルデータ６０を全画面表示させるようにすれば利用者の注意を引くことができ，利用者に消費電力量を強く認識させることが可能となる。
その後，ステップＳ１１３では，上記テーブルデータ６０の全画面表示が維持される時間Ｔが経過したかどうかがタイマ等により判断される。ここで，上記時間Ｔが経過したと判断されると，続いて，ステップＳ１１４において，上記液晶表示部３２に表示されていたテーブルデータ６０が縮小表示或いは非表示される。
【００２１】
続いて，図５（ｂ）のフローチャートを用いて上記分別表示処理の一実施例を説明する。
ステップＳ２１１において，原稿が原稿セット部１３（図１）にセットされたこと或いはコピースタート押釦３１２（図１）の押圧操作等のコピー操作がなされたかどうかが判断される。本複合機Ｘでは，上記コピー操作がなされると複合機Ｘの動作状態が印字モードに切り換えられるため，上記ステップＳ２１１の判断処理は，即ち複合機Ｘの動作状態が他の動作状態から上記印字モードに切り換えられたかどうかを判断するものである。
上記ステップＳ２１１でコピー操作がなされたと判断されると，続いて，ＣＰＵ１５１によってテーブルデータ６０（図６）が全画面表示される（Ｓ２１２）。即ち，他の動作状態から上記印字モードに切り換えられた際に上記テーブルデータ６０が表示される。
上記ステップＳ２１２の全画面表示がされると略同時に，差分カウンタ１５５による電力量の変化量のカウントが開始される（Ｓ２１３）。具体的には，上記ＣＰＵ１５１によって，上記キー操作が検出された時点からの電力量が上記差分カウンタ１５５に内蔵された図示しない内部メモリに転送，記憶されることによりカウントされる。上記コピー操作がなされると，複合機Ｘの動作状態は印字モードに切り換えられるが，この印字モードにおける１回のコピー印刷動作に相当する消費電力量をカウントするために上記差分カウンタ１５５が用いられる。従って，上記差分カウンタ１５５によるカウントは，コピー印刷動作が完了するまで行われる（Ｓ２１７）。その後，ステップＳ２１４，Ｓ２１５において上述のステップＳ１１３，Ｓ１１４と同様の処理が実行される。
ステップＳ２１６では，コピー印刷動作が中断されたかどうかが判断される。ここで中断されたと判断されるとステップＳ２２１で差分カウンタ１５５がリセットされた後に処理は終了する。中断されずにコピー印刷が実行されて，例えば，利用者が設定した印刷部数が全部数印刷されたことが検知されたコピー印刷が完了したと判断されると（Ｓ２１７のＹｅｓ側），その後，ＣＰＵ１５１によって，上記テーブルデータ６０が全画面表示されると共に，上記差分カウンタ１５５によりカウントされた電力量の変化量，即ち，１回の印刷動作により消費された電力量と該電力量に相当する電気料金とが上記液晶表示部３２に表示される。上記コピー印刷が完了すると，上記複合機Ｘの動作状態は印字モードから該印字モードとは異なる他の動作状態（例えば待機モード）に切り換えられるため，上記テーブルデータ及び上記電力量の変化量の表示は印字モードから他の動作状態（例えば待機モード）に切り換えられた際に行われることになる。このとき，上記電力量の変化量は，例えば，上記テーブルデータ６０の表示色とは異なる表示色による表示処理，或いは拡大表示処理，ポップアップ表示処理，立体表示処理（いずれも強調処理の一例）がなされて表示される。もちろん，これらの表示処理を組み合わせて表示させてもかまわない。このように上記電力量の変化量を上記テーブルデータ６０と異ならせて強調表示させることにより，利用者の注意を喚起することができ，利用者個人の使用による消費電力を強く意識付けることができる。その後，ステップＳ２１９，Ｓ２２０において上述のステップＳ１１３，Ｓ１１４と同様の処理が実行された後に，上記差分カウンタ１５５がリセットされて処理が終了する。
【００２２】
続いて，図５（ｃ）のフローチャートを用いて上記分別表示処理の一実施例を説明する。なお，ここで説明する実施例は，上記複合機Ｘが，ＬＡＮ等のネットワークを介して接続されたパーソナルコンピュータ等の端末装置から入力された印刷データ（ジョブデータ）に応じた印刷出力を行うプリンタとして機能する場合の実施例を示す。
ステップＳ２３１において，外部の情報処理装置等から印刷データが受信されたかどうかが検出される。上記印刷データが受信されたことが上記複合機Ｘにおいて確認されると，通常，ＣＰＵ１５１は上記情報処理装置等に対して受信完了通知を出力している。本実施例では，ステップＳ２３２において，上記受信完了通知と共に上記印刷データ受信時における電力量及び電気料金等を含むテーブルデータ６０が上記情報処理装置に対して送信（出力）される。
続いて，ステップＳ２３３では，受信した印刷データに応じた印刷出力が完了したかどうかが判断される。上記印刷出力が完了した場合も，通常，ＣＰＵ１５１は上記情報処理装置等に対して印刷完了通知を出力している。そのため，ステップＳ２３４において，上記印刷完了通知と共に上記印刷出力完了時における電力量及び電気料金等を含むテーブルデータ６０が上記情報処理装置に対して送信（出力）される。もちろんこの場合も，差分カウンタ１５５によりカウントされた電力量の変化量を通知することとしてもよい。このように，複合機Ｘがプリンタとして機能する場合でも，印刷指示を与えた利用者に印刷前後における消費電力量等が通知されるため，利用者の省資源，省エネルギーに対する意識レベルを向上させることができる。
【図面の簡単な説明】
【００２３】
【図１】本発明の実施の形態に係るデジタル複合機Ｘの概略構成を示す全体模式図。
【図２】上記デジタル複合機Ｘの操作表示パネル３０の概略構成を示すパネル模式図。
【図３】上記デジタル複合機Ｘの制御部１５の概略構成を示すブロック図。
【図４】上記デジタル複合機Ｘの制御部１５のＣＰＵ１５１により実行される電力量表示処理の概略手順の一例を説明するフローチャート。
【図５】上記デジタル複合機Ｘの制御部１５のＣＰＵ１５１により実行される電力量表示処理の詳細手順の一例を説明するフローチャート。
【図６】上記デジタル複合機Ｘの操作表示パネルに表示される情報の一例を示すテーブル図。
【図７】データメモリ１５３の記憶領域を説明する図。
【符号の説明】
【００２４】
Ｘ…複合機
１０…自動原稿送り装置
１５…制御部
１６…画像形成装置
１７…給紙カセット
２０…画像読取装置
３０…操作表示パネル
３１…操作部
３２…液晶表示部
４１…ＡＣ／ＤＣ変換器
４２…積算電力量計
１５１…ＣＰＵ
１５２…ＲＡＭ
１５３…データメモリ（電力量記憶手段の一例）
１５４…プログラムＲＯＭ
１５５…差分カウンタ
１５６…インターフェース（Ｉ／Ｆ）
１５７…内部バス
【図１】
2006039443.tif 000003
【図２】
2006039443.tif 000004
【図３】
2006039443.tif 000005
【図４】
2006039443.tif 000006
【図５】
2006039443.tif 000007
【図６】
2006039443.tif 000008
【図７】
2006039443.tif 000009